(57)【要約】【課題】ボイスコイルとフレーム内周部との間に形成される空間部が狭い小口径のスピーカであっても、ダンパーの振動面積を大きくすることが可能で、低域のための大きい振幅を得ることができ、最低共振周波数をも下げることのできるスピーカを提供する。【解決手段】磁気回路１４に形成されたギャップの所定位置にボイスコイル１７を配置させたボイスコイル・ボビン１８の先端部を、ダンパー１９およびコーン状の振動板１６に貫通させるとともに、振動板１６とボイスコイル・ボビン１８を貫通部においてに一体的に固着し、かつボイスコイル・ボビン１８内において、振動板１６の底面部１６ｅをダンパー１９の中心部に形成した振動板受部１９ｅに当接保持させてスピーカ１０を構成する。【選択図】　　　　図１
2004112276.tif 000002
【特許請求の範囲】
【請求項１】
磁気回路に形成されたギャップの所定位置にボイスコイルを配置させたボイスコイル・ボビンの先端部を、ダンパーおよびコーン状の振動板の一部に貫通させるとともに、
前記振動板とボイスコイル・ボビンとが、貫通部においてに一体的に固着されていること
を特徴とするスピーカ。
【請求項２】
磁気回路に形成されたギャップの所定位置にボイスコイルを配置させたボイスコイル・ボビンの先端部を、ダンパーおよびコーン状の振動板の一部に貫通させるとともに、
前記振動板とボイスコイル・ボビンが、貫通部においてに一体的に固着され、
かつボイスコイル・ボビン内において、振動板とダンパーの各中心部が一体的に固着されていること
を特徴とするスピーカ。
【請求項３】
前記ボイスコイル・ボビンは、
円筒体の下部にボイスコイルを有し、上縁部から下縁方向に複数の切欠き部を均等に形成し、同一円状に複数の円弧状の側壁が形成されたものであること
を特徴とする請求項１又は２に記載のスピーカ。
【請求項４】
前記ダンパーは、
全体が円盤状をなし、前記ボイスコイル・ボビンに形成された複数の円弧状の側壁と相対する部位に、当該側壁を貫通させるための貫通孔が形成されていること
を特徴とする請求項１又は２に記載のスピーカ。
【請求項５】
前記コーン状の振動板は、
前記ボイスコイル・ボビンに形成された複数の円弧状の側壁と相対する部位
に、当該側壁を貫通させるための貫通孔が形成されていること
を特徴とする請求項１又は２に記載のスピーカ。
【請求項６】
円筒体の下部にボイスコイルを有し、上縁部から下縁方向に複数の切欠き部を均等に形成し、同一円状に複数の円弧状の側壁が形成されたボイスコイル・ボビンと、
全体が円盤状をなし、前記ボイスコイル・ボビンに形成された複数の円弧状の側壁と相対する部位に、当該側壁を貫通させるための貫通孔が形成されたダンパーと、
前記ボイスコイル・ボビンに形成された複数の円弧状の側壁と相対する部位
に、当該側壁を貫通させるための貫通孔が形成されたコーン状の振動板
を有し、
磁気回路のギャップの所定位置にボイスコイルを配置させたボイスコイル・ボビンの先端部を、ダンパーおよびコーン状の振動板に貫通させ、振動板とボイスコイル・ボビンが、貫通部においてに一体的に固着され、かつボイスコイル・ボビン内において、振動板とダンパーの各中心部が一体的に固着されていることを特徴とするスピーカ。
【発明の詳細な説明】
【０００１】
【発明の属する技術分野】
この発明は、各種の音響機器に使用されるスピーカ、より具体的には、パーソナルコンピュータなどに使用される小型のスピーカに関するものである。
【０００２】
【従来の技術】
一般的なスピーカにおいて、振動板とボイスコイルをギャップの正常位置に保持するダンパーは、性能的にはエッジと同様に、最低共振周波数に影響を与え、同じ振幅を行なうもので、平面視がドーナツ状で、内径部がボイスコイル・ボビンの外周部に接着剤で接合固着され、その外径部は、フレームの内底部の近傍に形成された平坦部に固着されたもので、前記ボイスコイル・ボビンの上部外周には、コーン形状の振動板のネック部（底面部）が接合固着されている。
【０００３】
かかるスピーカにおいて、パーソナル・コンピュータ（以下、「パソコン」という。）などに使用されるスピーカは、パソコン本体への取付け上の制約から、小型スピーカが使用されることが多いが、小型スピーカでありながら、ハイパワーや低音再生の要求を満たす必要性から、図４に示すように、ボイスコイル径の大きなスピーカ１が使用される場合がある。
【０００４】
このスピーカ１は、図４で明らかなように、振動板２の口径を小さくするとともに、使用するボイスコイル・ボビン３の口径を大きくしてボイスコイル径を大きくしているので、低音再生は有利になるものの、ボイスコイル・ボビン３の外周部と、フレーム４の内周部との間に形成される空間部が極端に狭くなって、ダンパー５を配置できる空間が少なくなるので、ダンパー５の振動面積を大きくすることが不可能で、その結果、スピーカの動作時に大きい振幅を得ることができないとともに、最低共振周波数を下げることも困難であった。
【０００５】
前記の問題を解決する方法として、ダンパーによる振動板、ボイスコイルを捲回したボイスコイル・ボビン（以下、単に「ボビン」という。）、ダストキャップおよびリード線からなる振動系の保持を止め、振動板の外周部に一体的に設けられるエッジのみで、フレームの開口部に形成された平坦部に支持する方法がある。
【０００６】
【発明が解決しようとする課題】
しかしながら、前記のエッジによる振動系の保持手段は、低域で大きい振幅となった場合、振動系部品がローリングを起こし、巻線やボビンが磁気回路のギャップに接触し易く、耐入力を上げることができない。このローリングを解決する手段として、磁気回路のギャップを広げて、巻線やボビンがギャップに接触しないようにすることが可能であるが、ギャップを広げることは磁束密度の低下を来たし、音圧が低下するという欠点がある。
【０００７】
この発明はかかる現状に鑑み、ボビンとフレーム内周部との間に形成される空間部が狭い小口径のスピーカであっても、ダンパーの振動面積を大きくすることが可能で、低域のための大きい振幅を得ることができ、最低共振周波数をも下げることのできるスピーカを提供せんとするものである。
【０００８】
【課題を解決するための手段】
前記の目的を達成するため、この発明の請求項１に記載のスピーカは、
磁気回路に形成されたギャップの所定位置にボイスコイルを配置させたボイスコイル・ボビンの先端部を、ダンパーおよびコーン状の振動板の一部に貫通させるとともに、
前記振動板とボイスコイル・ボビンとが、貫通部においてに一体的に固着されていること
を特徴とするスピーカである。
【０００９】
また、この発明の請求項２に記載の発明は、
磁気回路に形成されたギャップの所定位置にボイスコイルを配置させたボイスコイル・ボビンの先端部を、ダンパーおよびコーン状の振動板の一部に貫通させるとともに、
前記振動板とボイスコイル・ボビンが、貫通部においてに一体的に固着され、
かつボイスコイル・ボビン内において、振動板とダンパーの各中心部が一体的に固着されていること
を特徴とするスピーカである。
【００１０】
さらに、この発明の請求項６に記載の発明は、
円筒体の下部にボイスコイルを有し、上縁部から下縁方向に複数の切欠き部を均等に形成し、同一円状に複数の円弧状の側壁が形成されたボイスコイル・ボビンと、
全体が円盤状をなし、前記ボイスコイル・ボビンに形成された複数の円弧状の側壁と相対する部位に、当該側壁を貫通させるための貫通孔が形成されたダンパーと、
前記ボイスコイル・ボビンに形成された複数の円弧状の側壁と相対する部位
に、当該側壁を貫通させるための貫通孔が形成されたコーン状の振動板
を有し、
磁気回路のギャップの所定位置にボイスコイルを配置させたボイスコイル・ボビンの先端部を、ダンパーおよびコーン状の振動板に貫通させ、振動板とボイスコイル・ボビンが、貫通部においてに一体的に固着され、かつボイスコイル・ボビン内において、振動板とダンパーの各中心部が一体的に固着されていることを特徴とするスピーカである。
【００１１】
【発明の実施の形態】
以下、この発明にかかるスピーカの好ましい実施の形態を、添付の図面に基づいて具体的に説明するが、この発明は図示のものに限定されず、その要旨を変更しない範囲内において種々変更することができるものである。
【００１２】
図１は、この発明のスピーカの一例を示す概略説明図、図２は、図１に示すスピーカの一部切欠き平面図、図３はこの発明にかかるスピーカの要部の分解斜視図である。
【００１３】
この発明のスピーカ１０は、パソコンなどに使用される口径の小さなスピーカであって、図１に示されるように、ポットヨーク１１、マグネット１２、ポールピース１３から構成される内磁型の磁気回路１４と、フレーム１５と、コーン型の振動板１６、ボイスコイル１７が捲回されたボビン１８およびダンパー１９とからなる振動系で構成されている。
【００１４】
前記の構成のスピーカ１０において、磁気回路１４のポットヨーク１１とポールピース１３の間に形成されるギャップの所定の位置に、ボイスコイル１７を配置するに際し、この発明は、下部外周にボイスコイル１７を捲回したボビン１８の先端部を、ダンパー１９および振動板１６の所要部位に貫通させ、その先端を振動板１６の胴部内側に突出させ、ボビン１８内において、振動板１６とダンパー１９の各中心部を接合固着させたことを特長とするものである。
【００１５】
すなわち、この発明のスピーカ１０のボビン１８は、図３で明らかなように、円筒体の下部外周部にボイスコイル１７を捲回させるとともに、円筒体の上縁部から下縁方向に複数の切欠き部２０（図３においては４つ）を均等に形成し、同一円状に複数（図３では４つ）の円弧状の側壁１８ａ，１８ｂ，１８ｃ，１８ｄを形成したもので、図中、２１，２２は、フレーム１５に配設された入力端子２３とボイスコイル１７とを接続するリード線である。
【００１６】
また、前記ダンパー１９は、全体が円盤状をなし、ボビン１８に形成された複数の円弧状の側壁１８ａ，１８ｂ，１８ｃ，１８ｄと相対する部位に、当該側壁１８ａ，１８ｂ，１８ｃ，１８ｄを貫通させるための貫通孔１９ａ，１９ｂ，１９ｃ，１９ｄが形成されたもので、その外周部は、フレーム１５の底面部近傍の内側に形成された平坦部１５ｂに接着固定されるもので、中心部には、後述する振動板１６の底面部１６ｅを受入れる凹状の振動板受部１９ｅが形成されたものであるが、前記ボビン１８の円弧状の側壁を受入れる貫通孔１９ａ，１９ｂ，１９ｃ，１９ｄと、振動板受部１９ｅとが形成されていれば、コルゲーションが形成されたものであってもよく、その形状や材質については特段の制限はない。
【００１７】
また、前記コーン状の振動板１６は、図１で明らかなように、逆截頭円錐状をなし、その底面部１６ｅが閉止されたもので、所定の角度で傾斜する胴部には、前記ボビン１８の円弧状の側壁１８ａ，１８ｂ，１８ｃ，１８ｄと相対させて、貫通孔１６ａ，１６ｂ，１６ｃ，１６ｄを形成したもので、材質についてはなんら制限はないものである。
【００１８】
なお、振動板１６とボビン１８は、前記振動板１６の貫通孔１６ａ，１６ｂ，１６ｃ，１６ｄの部位において相互に接合して一体化させるものであるので、図３で明らかなように、その外周側に沿って接合部１６ｆを一体的に形成しておくことが好ましく、振動板１６の外周部は、エッジ２４の外周部を介してフレーム１５の外周平坦部１５ａに固定されるものである。
【００１９】
かかる構成部材からなるスピーカ１０は、まず、ボビン１８に形成された各側壁１８ａ，１８ｂ，１８ｃ，１８ｄの上部から、ダンパー１９を、その胴部に形成した各貫通孔１９ａ，１９ｂ，１９ｃ，１９ｄが、各側壁１８ａ，１８ｂ，１８ｃ，１８ｄと相対するよう配置したのち、下方に落とし込む。
【００２０】
ついで、振動板１６を、傾斜する胴部のほぼ中間部に形成した貫通孔１６ａ，１６ｂ，１６ｃ，１６ｄを利用し、前記各側壁１８ａ，１８ｂ，１８ｃ，１８ｄに沿ってボビン１８に落とし込み、磁気回路１４のギャップ内に、ボイスコイル１７を、冶具を用いて保持させた状態で、ダンパー１９の外周部を、前記フレーム１５の外周平坦部１５ｂに接着固定する。
【００２１】
その際、前記ダンパー１９の装着によって、ダンパー１９の中心部に形成された振動板受部１９ｅは、ボビン１８内の中心部に位置しているので、振動板１６の落とし込みと同時に、振動板１６の底面部１６ｅが振動板受部１９ｅに入り込むので、接着剤などで両者を一体化させる。
【００２２】
しかるのち、振動板１６と一体のエッジ２４の外周部をフレーム１５の外周平坦部１５ａに固着し、前記貫通孔１６ａ，１６ｂ，１６ｃ，１６ｄの外側に下方に向けて設けた接合部１６ｆの内周部と、ボビン１８の外周部とを接合接着して振動板１６をボビン１８に固定する。
【００２３】
さらに、エッジ２４の上面にリング状にガスケット２５を接着固定し、ボイスコイル・ボビン１８の上部開口部を覆ってダストキャップ２６を装着してスピーカ１０を組立てるものであるが、その手順は、前記の手順に限定されるものではなく、あらかじめダンパー１９と振動板１６とを一体化させておいてもよいことは当然である。
【００２４】
また、ボビン１８と振動板１６とを一体化させるに際し、図面では、振動板１６の傾斜した胴部に形成した貫通孔の外側、すなわちフレーム１５側に接合部１６ｆを垂設したが、軸心に近い内側であってもよく、振動板１６とダンパー１９の接合はハトメを使用しても行なってもよい。
【００２５】
【発明の効果】
この発明のスピーカは、磁気回路のギャップ内の所定位置にボイスコイルを配置させたボイスコイル・ボビンの先端部を、ダンパーおよびコーン状の振動板に貫通させ、ボイスコイル・ボビン内に振動板とダンパーの中心部を配置するとともに、振動板とボイスコイル・ボビン、および振動板とダンパーとをそれぞれ一体化させているので、小口径でボイスコイル径が大きいスピーカであっても、ダンパーの振動面積を大きくすることができる。
【００２６】
特に、この発明のスピーカは、ダンパーおよびコーン状の振動板の各中心部がボイスコイル・ボビン内に位置させたので、スピーカの動作時に大きな振幅があっても、ボイスコイルを正確に上下動させることができ、最低共振周波数を容易に下げることが可能となる。
【００２７】
また、振動板とダンパーとをボイスコイル・ボビン内において接合一体化させることによって、大きな振幅になっても、振動系がローリングし難くなるので、ボイスコイルやボイスコイル・ボビンがギャップと接触するおそれがなく、さらに、ギャップを広げる必要がないので、磁束密度や音圧の低下がないなど優れた効果を奏するものである。
【図面の簡単な説明】
【図１】この発明のスピーカの一例を示す概略説明図である。
【図２】図１に示すスピーカの一部切欠き平面図である。
【図３】この発明にかかるスピーカの要部の分解斜視図である。
【図４】従来のスピーカの一例を示す概略説明図である。
【符号の説明】
１０　　　スピーカ
１４　　　磁気回路
１５　　　フレーム
１６　　　振動板
１６ｅ　　振動板の底面部
１７　　　ボイスコイル
１８　　　ボビン
１９　　　ダンパー
１９ｅ　　振動板受部
２０　　　切欠き部
【図１】
2004112276.tif 000003
【図２】
2004112276.tif 000004
【図３】
2004112276.tif 000005
【図４】
2004112276.tif 000006